(57)【要約】【課題】エアコンの室内機等の空気調和機に使用される送風装置において、クロスフロー端部での剥離音を含む騒音や、風路内障害物による騒音の低減を目的とする。【解決手段】側板１０１と、クロスフローファン１０２と、スタビライザ１０３と、リアガイダ１０５を備え、スタビライザ１０３の断面形状を軸方向に変化させることによりクロスフローファン端部で起こる不均一流れなどを抑制することになるので、性能の向上と、剥離音を含めた騒音の低減ができる。【選択図】図１
2005188357.tif 000002
【特許請求の範囲】
【請求項１】
クロスフローファンと、それを取り囲むスタビライザとリアガイダを有する送風装置において、スタビライザとクロスフローファンとの最短距離がほぼ一定であり、かつスタビライザ断面形状が、クロスフローファン軸方向になだらかに変化している部分を有することを特徴とした送風装置。
【請求項２】
クロスフローファンと、それを取り囲むスタビライザとリアガイダを有する送風装置において、スタビライザとクロスフローファンとの最短距離がほぼ一定であり、かつスタビライザ断面形状が、クロスフローファン軸方向に段状に変化している部分を有することを特徴とした送風装置。
【請求項３】
クロスフローファンと、それを取り囲むスタビライザとリアガイダを有する送風装置において、スタビライザとクロスフローファンとの最短距離がほぼ一定であり、かつスタビライザ断面形状が、クロスフローファン軸方向になだらかに変化している部分と、段状に変化している部分との両方を有することを特徴とした送風装置。
【請求項４】
クロスフローファンが軸方向に１つまたは２つ以上の仕切りを有し、クロスフローファン任意仕切りと同一平面でスタビライザが段状に変化していることを特徴とした請求項２または３記載の送風装置。
【請求項５】
スタビライザ最大断面積部分の軸方向位置が、クロスフローファン端部からクロスフローファン直径寸法より内側にあり、かつスタビライザ両端付近または一端付近のスタビライザ断面積が最小となることを特徴とした請求項１乃至４のいずれかに記載の送風装置。
【請求項６】
クロスフローファン軸方向中央付近のスタビライザ断面形状がほぼ一定で，スタビライザ断面積が縮小されるクロスフローファン軸方向の開始位置が、クロスフローファン端部からクロスフローファン直径寸法より外側であることを特徴とした請求項５に記載の送風装置。
【請求項７】
スタビライザ両端付近または一端付近の断面において、吹出し側スタビライザの淵形状が、中央部断面における吹出し側スタビライザの淵形状と同一であることを特徴とした請求項５または６に記載の送風装置。
【発明の詳細な説明】
【技術分野】
【０００１】
本発明は、エアコンの室内機等の空気調和機に使用される、クロスフローファンを有する送風装置に関する。
【背景技術】
【０００２】
従来のこの種の送風装置は、通風路の側板の近くで風量の偏りがあり、剥離音等が発生することがあった（例えば特許文献１参照）。
【０００３】
以下、その送風装置について、図１０及び図１１を参照しながら説明する。
【０００４】
図１０において、送風装置本体は、２つの側板１０１（手前側は省略）の間にクロスフローファン１０２を配置し、クロスフローファン１０２に近接させてスタビライザ１０３を配置し、通風路１０４を形成するようにリアガイダ１０５を配置させた構成となっている。
【０００５】
図１１において、クロスフローファン１０２を回転させることにより、吸込み空気が、スタビライザ１０３とリアガイダ１０５の間の吸い込み部１０６から流入し、スタビライザ１０３とリアガイダ１０５の間の風吹出し口１０７から流出するという構成となっている。
【０００６】
なお、クロスフローファン１０２はその軸１０８を２つの側板の軸受（図示していない）に支えられ、側板１０１に設置された電動機により回転する構造となっている。
【特許文献１】特開平１０−１５９７８９号公報（図１及び図８）
【発明の開示】
【発明が解決しようとする課題】
【０００７】
このような従来の送風装置では、通風路の側板及び側板の近くで剥離が発生し、そのため剥離音が発生するという課題があり、その防止のために、剥離の発生を抑制し剥離音を低減させる必要がある。
【０００８】
また、送風路裏側の制御基盤などにより、本体外形サイズを小さくする為にクロスフローファン付近の送風路内に突起や窪みができる場合もあり、この障害物による乱れが騒音増加につながるため、この騒音を低減する必要がある。
【０００９】
本発明は、このような従来の課題を解決するものであり、通風路の側板及び側板近くで発生する剥離音を低減でき、また、送風路内の障害物による乱れからおこる騒音を低減できる送風装置を提供することを目的としている。
【課題を解決するための手段】
【００１０】
本発明の送風装置は、クロスフローファンと、それを取り囲むスタビライザとリアガイダを有する送風装置において、スタビライザとクロスフローファンとの最短距離がほぼ一定であり、かつスタビライザ断面形状が、クロスフローファン軸方向になだらかに変化している部分を有することを特徴としたものである。
【００１１】
この手段により、スタビライザとクロスフローファンの距離を一定に保っている為、不均一な隙間による漏れの偏りの影響を抑えつつ、スタビライザが薄い場合には静圧を大きくとれ、厚い場合には風量を増大できるといった、クロスフローファンの特性をクロスフローファン軸方向に任意になだらかに変更することができ、流れの偏りを制御してクロスフローファン端部や送風路内の障害物から発生する騒音を、抑制することができる送風装置が得られる。
【００１２】
また他の手段は、スタビライザ断面形状が、クロスフローファン軸方向に段状に変化している部分を有することを特徴としたものである。
【００１３】
この手段により、スタビライザとクロスフローファンとの距離を一定に保っている為、不均一な隙間による漏れの偏りの影響を抑えつつ、スタビライザが薄い場合には静圧を大きくとれ、厚い場合には風量を増大できるといった、クロスフローファンの特性をクロスフローファン軸方向に任意に変更することができ、特に送風路内に障害物が設けられた場合、軸方向同位置に障害物寸法に合わせた断面形状の変更により、流れの偏りを無くして送風路内の障害物の影響により発生する騒音を抑制することができる送風装置が得られる。
【００１４】
また他の手段は、スタビライザととの最短距離がほぼ一定であり、スタビライザ断面形状が、クロスフローファン軸方向になだらかに変化している部分と、段状に変化している部分とを有することを特徴としたものである。
【００１５】
この手段により、送風路内部に障害物がある場合の障害物寸法に合わせた軸方向の特性変更と、なだらかにスタビライザ断面形状を変化させた場合の軸方向のなだらかな特性変更を同時に行うことができる送風装置が得られる。
【００１６】
また他の手段は  軸方向に１つまたは２つ以上の仕切りを有するクロスフローファンを有する場合に、クロスフローファン任意仕切りと同一平面でスタビライザが段状に変化していることを特徴としたものである。
【００１７】
この手段により、クロスフローファンが仕切りを有する場合には、仕切り近傍が低流速部になるため、スタビライザの段差を仕切り部と同一平面に配置することにより、スタビライザ段差による性能低下をきたす場合の抑制効果をもつ送風装置が得られる。
【００１８】
また他の手段は、スタビライザ最大断面積の軸方向位置が、クロスフローファン端部からクロスフローファン直径寸法より内側にあり、かつスタビライザ両端または一端のスタビライザ断面積が最小となることを特徴としたものである。
【００１９】
この手段により、クロスフローファン主流の流れる軸方向中央部付近と、クロスフローファン端部での低流速部分とで特性を変更し、クロスフローファン性能の向上と騒音の低減を行うことができる。
【００２０】
また他の手段は、クロスフローファン軸方向中央付近のスタビライザ断面形状がほぼ一定で、スタビライザ断面積が縮小されるクロスフローファン軸方向の開始位置が、クロスフローファン端部からクロスフローファン直径寸法より外側であることを特徴としたものである。
【００２１】
この手段により、クロスフローファンにおいて、軸方向に長いクロスフローファン中央付近での主流領域断面形状を一定にして特性を固定し、クロスフローファン直径寸法より外側の、剥離や逆流を生じるクロスフローファン端部の局所領域のみ特性を変更して、特性改善と騒音の低減を行うことができる送風装置が得られる。
【００２２】
また他の手段は、スタビライザ両端または一端の断面において、吹出し側のスタビライザ淵形状が、中央部断面における吹出し側のスタビライザ淵形状と同一であることを特徴としたものである。
【００２３】
この手段により、吹出し側形状は同一のままで、スタビライザの厚みを変更でき、主流の流れるクロスフローファン中央では風量を増大できる厚みをもったスタビライザ形状とし、剥離や逆流の起こるクロスフローファン端部では、これらの乱れを防止するように静圧を大きくとれる薄いスタビライザ形状とすることで、クロスフローファン性能の向上と剥離音を含めた騒音の低減を行うことができる送風装置が得られる。
【発明の効果】
【００２４】
本発明によれば、クロスフローファン特性を軸方向に任意に変化させることができるという効果のある送風装置を提供できる。
【００２５】
また、クロスフローファン近傍の送風路内に障害物がある場合に、障害物の影響による騒音増加を抑制することができる送風装置を提供できる。
【００２６】
また、クロスフローファン端部の低流量域における剥離音を含めた騒音の低減を行うことができる送風装置を提供できる。
【発明を実施するための最良の形態】
【００２７】
本発明の請求項１記載の発明は、クロスフローファンと、それを取り囲むスタビライザとリアガイダを有する送風装置において、スタビライザとクロスフローファンとの最短距離がほぼ一定であり、スタビライザがクロスフローファン軸方向になだらかに変化している部分を有することを特徴としたものであり、クロスフローファン端部などに向かっての流れの偏りを無くして剥離音を含む端部での騒音や送風路内の障害物から発生する騒音を抑制するという作用を有する。
【００２８】
また、請求項２記載の発明は、スタビライザ断面形状が、クロスフローファン軸方向に段状に変化している部分を有することを特徴としたものであり、特に送風路内にエッジ形状の障害物が設けられた場合、障害物寸法に合わせた軸方向同位置での段状の断面形状変更により、流れの偏りを無くして送風路内の障害物の影響により発生する騒音を抑制という作用を有する。
【００２９】
以下、本発明の実施の形態について図面を参照しながら説明する。
【００３０】
なお、従来例と同一部分についてはその符号を用い詳細な説明は省略する。
【００３１】
（実施の形態１）
図１は、実施の形態１の斜視図であって、２つの側板１０１（手前側は省略）の間にクロスフローファン１０２配置し、クロスフローファン１０２に近接させて断面形状をクロスフローファン軸方向になだらかに変化させたスタビライザ１を配置し、通風路１０４を形成するようにリアガイダ１０５を配置させた構成となっている。
【００３２】
また、ａ、ｂ、ｃの断面図は図２、図３、図４に対応しており、クロスフローファン１０２を回転させることにより、吸込み空気が吸い込み部１０６から流入し、風吹出し口１０７から流出するという構成となっている。
【００３３】
図２、図３、図４では、任意断面ａ，ｂ，ｃにおいて、クロスフローファンとスタビライザの最短距離２の距離は一定のままに、断面形状１ａ，１ｂ，１ｃの先端円弧の半径寸法と、スタビライザとクロスフローファンとの最短距離位置の水平からの角度３を変更して異なるスタビライザ断面形状１ａ，１ｂ，１ｃをなだらかに接続することによってスタビライザ１が構成される。
【００３４】
上記構成において、クロスフローファン特性がスタビライザ１の形状で変化するという効果を利用して、スタビライザが薄い場合には静圧を大きくとれ、厚い場合には風量を増大できるといった、クロスフローファンの特性をクロスフローファン軸方向に任意になだらかに変更することができ、流れの偏りを制御して、性能の向上とクロスフローファン端部や送風路内の障害物から発生する騒音を、抑制することができる。
【００３５】
なお、実施の形態１では、スタビライザの基準断面形状として断面形状１ａ，１ｂ，１ｃの３つを示したが、目的とする風速分布、クロスフローファン特性によっては、２つまたは４つ以上でもよく、部分的に断面積の変化しない一定断面形状部分を併用してもよい。
【００３６】
（実施の形態２）
図５は、実施の形態２の斜視図であって、２つの側板１０１（手前側は省略）の間に仕切り４のあるクロスフローファン１０２を配置し、風路を形成するリアガイダ１０５の面上に、例えば送風路外側に送風装置の制御回路等を備えた為に突出、または窪んでできた風路内障害物５が備えられた場合であり、この障害物５の段差をクロスフローファン仕切り４と同一軸方向位置に設け、さらに風路内障害物５の段差と同一軸方向位置に段差のあるスタビライザ１をクロスフローファン１０２に近接させて配置した構成となっている。
【００３７】
また、ａ，ｄの断面図は図２、図６に対応しており、風路内障害物５に対向するスタビライザ断面形状１ｄが、その他の部分のスタビライザ断面形状１ａに比べて薄く構成されている。
【００３８】
上記構成において、クロスフローファンの特性をクロスフローファン軸方向に変更することができ、特に送風路内障害物５が設けられている場合、軸方向同位置に障害物寸法に合わせた断面形状の変更により、局所的に流れの偏りを抑制して、性能の向上とクロスフローファン端部や送風路内の障害物から発生する騒音を、抑制することができる。
【００３９】
なお、実施の形態２では、風路内障害物５は１つであるが、２つ以上の場合でも、スタビライザ１の段差を増やすことにより有効であり、障害物５の段差とクロスフローファン仕切り４を同一軸方向位置に合わせる事が出来ない場合はずらしても良く、さらに実施の形態１に記載した、スタビライザをなだらかに変化させる形状と併用しても良い。
【００４０】
（実施の形態３）
図７は、実施の形態３の斜視図であって、断面形状をクロスフローファン軸方向になだらかに変化させたスタビライザ１をクロスフローファン１０２に近接させて配置したものであり、クロスフローファン端部において軸方向のスタビライザ断面積最小（例えば図３の断面形状）の位置６を規定し、スタビライザ断面積最大（例えば図２の断面形状）の位置７をクロスフローファン端部からの距離８がクロスフローファン直径寸法より大きくなるように構成されている。
【００４１】
上記構成において、クロスフローファン主流の流れる軸方向中央部付近と、クロスフローファン端部での低流速部分とで特性を変更し、クロスフローファン性能の向上と騒音の低減を行うことができる。
【００４２】
なお、実施の形態３では、両端のスタビライザ断面形状を軸方向になだらかに変化させているが、一端のみでも良く、スタビライザ１の断面形状は段状に変化させても良く、変化のさせ方を両端それぞれ変化させても良い。
【００４３】
（実施の形態４）
図８は、実施の形態４の斜視図であって、断面形状を軸方向に変化させたスタビライザ１をクロスフローファン１０２に近接させて配置したものであり、クロスフローファン中央部においては、スタビライザ断面形状一定（例えば図２の断面形状）の区間９を設け、スタビライザ両端でスタビライザ断面籍が最小（例えば図３の断面形状）になるように絞られており、クロスフローファン端部からスタビライザ断面積最大位置までの距離１０がクロスフローファン直径径寸法より小さくなるように構成されている。
【００４４】
上記構成において、軸方向に長いクロスフローファン中央付近での主流領域断面形状を一定にして軸方向の特性を固定し、クロスフローファン直径寸法より外側の、剥離や逆流を生じるクロスフローファン端部の局所領域のみ特性を変更して、特性改善と騒音の低減を行うことができる。
【００４５】
また、図９は実施の形態４におけるクロスフローファン端部での断面図であって、スタビライザ断面形状１ｅの先端円弧の半径寸法と、スタビライザとクロスフローファンとの最短距離位置の水平からの角度３とを変更し、スタビライザとクロスフローファンとの最短距離距離と、吹出し側のスタビライザ淵形状とが、スタビライザ軸方向全体において一定であるように構成されている。
【００４６】
上記構成において、吹出し側形状は同一のままで、スタビライザの厚みを変更でき、主流の流れるクロスフローファン中央では風量を増大させる厚みをもったスタビライザ形状とし、剥離や逆流の起こるクロスフローファン端部では、これらの乱れを防止するように静圧を大きくとれる薄いスタビライザ形状とすることで、クロスフローファン性能の向上と剥離音を含めた騒音の低減を行うことができる。
【産業上の利用可能性】
【００４７】
本発明にかかる送風装置は、流れの偏りを無くしてクロスフローファン端部や送風路内の障害物から発生する騒音を抑制するという作用を有し、エアコンの室内機等の空気調和機に使用される、クロスフローファンを有する送風装置として有用である。
【図面の簡単な説明】
【００４８】
【図１】本発明の実施の形態１の斜視図
【図２】任意軸方向位置ａでの断面図
【図３】任意軸方向位置ｂでの断面図
【図４】任意軸方向位置ｃでの断面図
【図５】同実施の形態２の斜視図
【図６】任意軸方向位置ｄでの断面図
【図７】同実施の形態３の斜視図
【図８】同実施の形態４の斜視図
【図９】任意軸方向位置ｅでの断面図
【図１０】従来の送風装置を示す斜視図
【図１１】同断面図
【符号の説明】
【００４９】
１  スタビライザ
１ａ  スタビライザ断面形状
１ｂ  スタビライザ断面形状
１ｃ  スタビライザ断面形状
１ｄ  スタビライザ断面形状
１ｅ  スタビライザ断面形状
２  スタビライザとクロスフローファンとの最短距離
３  スタビライザとクロスフローファンとの最短距離位置の傾き角度
４  クロスフローファン仕切り
５  風路内障害物
６  スタビライザ断面積最小位置
７  スタビライザ断面積最大位置
８  クロスフローファン端部からスタビライザ断面最大位置までの距離
９  スタビライザ断面形状一定区間
１０  クロスフローファン端部からスタビライザ一定区間開始位置までの距離
１１  スタビライザ吹出し側淵形状
１０１  側板
１０２  クロスフローファン
１０３  スタビライザ
１０４  通風路
１０５  リアガイダ
１０６  吸い込み部
１０７  吹出し口
【図１】
2005188357.tif 000003
【図２】
2005188357.tif 000004
【図３】
2005188357.tif 000005
【図４】
2005188357.tif 000006
【図５】
2005188357.tif 000007
【図６】
2005188357.tif 000008
【図７】
2005188357.tif 000009
【図８】
2005188357.tif 000010
【図９】
2005188357.tif 000011
【図１０】
2005188357.tif 000012
【図１１】
2005188357.tif 000013